(57)【要約】【課題】  本発明の課題は、蓄電池の性能に応じて適切な数の電力変換回路に接続し、効率の良いコンパクトな蓄電システムを提供することである。【解決手段】  上記の課題を解決するために、接続構成制御部が蓄電池の定格出力と劣化度を基に必要な電力変換回路の数を求め、求めた数の電力変換回路が蓄電池に接続されるよう接続選択回路を制御する蓄電システムを構成する。【選択図】  図１
2019146334.tif 000002
【特許請求の範囲】
【請求項１】
母線に接続された、複数の蓄電池および
前記蓄電池の電力を変換する複数の電力変換回路と
前記蓄電池と電力変換回路を接続する接続選択回路と、
蓄電池の定格出力に基づいて必要な電力変換回路を求め、接続する蓄電池と電力変換回路を決定し、接続選択回路へ接続を指示する接続構成制御部とを備えることを特徴とする蓄電システム。
【請求項２】
蓄電池の劣化度を検出する蓄電池劣化診断部を有し、
接続構成制御部は電池劣化診断の診断結果から求めた蓄電池の定格出力に基づいて接続選択回路を切り替えることを特徴とした請求項１に記載の蓄電システム。
【請求項３】
前記接続選択回路は、
接続構成制御部からの指示により接続選択回路が蓄電池と電力変換回路の接続を行うとき、一つの電力変換回路が一つの蓄電池へのみ接続されることを特徴とする請求項２に記載の蓄電システム。
【請求項４】
蓄電池はメモリを備え、測定された前記蓄電池の定格出力を前記メモリに格納し、
接続構成制御部は前記メモリから測定された蓄電池の定格出力を読み出し、
読み出した定格出力に基づいて接続選択回路を切り替えることを特徴とする請求項１から３に記載の蓄電システム。
【請求項５】
前記蓄電池は接続選択回路に接続するためのコネクタのある蓄電池挿入口を備えた蓄電池収納筐体に格納され、
前記蓄電池収納筐体は質量の大きい蓄電池を挿入する蓄電池挿入口は下部へ質量の小さい蓄電池を挿入する蓄電池挿入口は質量の大きい蓄電池を挿入する蓄電池挿入口よりも上部へ設けられていることを特徴とする請求項２に記載の蓄電システム。
【請求項６】
前記蓄電池収納筐体は筐体の蓄電池挿入口の背面に電力変換回路を備え、上部側面に新たな蓄電池を接続するコネクタの位置を表示する表示装置を備えることを特徴とする請求項５に記載の蓄電システム。
【発明の詳細な説明】
【技術分野】
【０００１】
本発明は、蓄電手段および電力変換回路が接続される蓄電システムに関するものである。 
【背景技術】
【０００２】
電気自動車の普及が進むにつれて、種々の仕様あるいは様々な劣化状態の電池が存在することになる。電気自動車では、電池が唯一の電源であり、頻繁に充放電が行われるとともに、残量低下時は走行不能になる可能性が懸念されるため、劣化した電池は使われない可能性が高い。一方、ビル内の電力ピークカットや、非常時の給電のための蓄電システムは、他の電源も存在し、充放電の頻度も抑えられるため、自動車で使った後の電池を再利用することが検討されている。
【先行技術文献】
【特許文献】
【０００３】
【特許文献１】特開2015−159631号公報
【０００４】
【特許文献２】WO2012/115148号公報
【発明の概要】
【発明が解決しようとする課題】
【０００５】
自動車で使用後の電池の場合には、劣化度が異なる上に、電池仕様も異なる可能性がある。特許文献１の図１１（ａ）に従来例として記載されているような、電池に対して個別に電力変換回路が接続されている場合には、電池各々に応じた個別制御が可能となるため、それぞれの電池を最大限有効に利用できる反面、電力変換回路は最大の定格出力等の電池仕様に合わせておかないと対応できない。その場合には電力変換回路の変換容量は最大に合わせて設計することになり、装置の大型化が懸念されるとともに、小電力時の効率低下が懸念される。
【０００６】
また、特許文献１の図１１（ｂ）に記載の従来例や、特許文献1の図１の例では、複数の電池が直接的に並列接続されており、この場合には、電力変換回路を介さずに並列接続するには、蓄電池の電圧を揃えないと、その電圧差に応じて並列接続された蓄電池間で大電流が流れてしまう。
【０００７】
また、電圧が同じでも、劣化具合で変わる内部抵抗が異なると、電流分担が不均等になり、劣化していない電池も劣化が激しくなるなどの問題がある。このため劣化度が似通った電池を使用しなければならない。さらに、劣化度が著しく異なる場合には、劣化の激しい電池により全体の出力が制限されてしまい、電池を有効に利用できないことになる。
【０００８】
また、特許文献２では、直並列接続されている電池を、特性あるいは劣化度に合わせて接続を切り替えて使うことで有効利用する方法が記載されている。この場合でも設置されている電池のうち接続されない電池が存在しており、装置の大型化が懸念される。
【課題を解決するための手段】
【０００９】
上記の課題を解決するために、本発明では、  母線に接続された複数の蓄電池と、前記蓄電池の電力を変換する複数の電力変換回路と前記蓄電池と電力変換回路を接続する接続選択回路と、蓄電池の定格出力に基づいて必要な電力変換回路を求め、接続する蓄電池と電力変換回路を決定し、接続選択回路へ接続を指示する接続構成制御部とを備える蓄電システムとした。
【発明の効果】
【００１０】
本発明により効率の良い蓄電システムを提供できる。
【図面の簡単な説明】
【００１１】
【図１】本発明の実施例１における蓄電システムの構成例を示す。
【図２】本発明の実施例１における接続選択回路の設定フローチャートの例を示す。
【図３】本発明の実施例２における電力変換回路の構成例を示す。
【図４】本発明の実施例３における電力変換回路の構成例を示す。
【図５】本発明の実施例４における電力変換回路の構成例を示す。
【図６】本発明の実施例５における電力変換回路の構成例を示す。
【図７（Ａ）】本発明の実施例６における蓄電システムの実装例（正面図）を示す。
【図７（Ｂ）】本発明の実施例６における蓄電システムの実装例（A-A'矢視図）を示す。
【図８】本発明の実施例７における蓄電システムの構成例を示す。
【図９】本発明の実施例８における蓄電システムの構成例を示す。
【図１０】本発明の実施例９における表示器の画面例を示す。
【発明を実施するための形態】
【００１２】
本発明の実施例を、図面を参照しながら説明する。なお、各図及び各実施例において、同一または類似の構成要素には同じ符号を付し、説明を省略する。また、ここでは、電力変換回路を構成するスイッチング素子は絶縁ゲートバイポーラトランジスタ（ＩＧＢＴ）を例に記載しているが、他のデバイスでもよい。また、ＩＧＢＴのゲート駆動信号回路については図示および説明を省略する。
【実施例１】
【００１３】
図１に実施例１の蓄電システムの構成例を示す。蓄電システム１は、母線９に電力変換回路１１〜１４が接続されている。ここでは、電力変換回路が母線に並列に接続されている場合を例にした。各電力変換回路１１〜１４には、接続選択回路３１〜３４が接続され、これを介して蓄電池２１〜２３に接続されている。
【００１４】
蓄電池はスーパーキャパシタのような蓄電可能なデバイスも含み、以後蓄電池として説明する。各蓄電池の出力および劣化度は、蓄電システム制御部４のうち、電池情報検出部４１で検出して、それに応じて接続構成制御部４２から、接続選択回路３１〜３４に指令を出してスイッチを切り替える。また、母線９の電力仕様および状態から、電力変換回路１１〜１４を充放電制御部４３により制御する。
【００１５】
ここでは、蓄電池の出力が２１および２２に比べて、２３は２倍程度である場合を説明する。接続選択回路のスイッチの切替について、図２のフローチャートを用いて説明する。
【００１６】
４個の電力変換回路１１〜１４が接続されているので、個数Ｎ＝４となる。まず、ステップ４０１にて、ｋ＝１として、ステップ４０２にてスイッチSW_1の状態を確認する。ｋ＝1では、k-1番目がないため、ステップ４０３の判定はYesとなり、ステップ４０４のように、k=1番目に蓄電池を配置可能であり、接続選択回路３１のSW_1は、蓄電池２１に接続される31B側に接続される。
【００１７】
ステップ４０６で電池情報検出部41は蓄電池２１の情報を検出して、接続構成制御部42はステップ４０７の接続電力変換回路数判定を行う。
【００１８】
蓄電池の劣化度や定格出力等の情報は蓄電池を設置するときに診断し、その後は充放電電流の積算値から推定して求めても良い。
【００１９】
この例では、定格出力を３段階に分けることにして、その閾値を小さいほうから、Pth1、Pth2およびPth3とした。また、劣化度も３段階に分けることにして、ほとんど劣化がない状態を1.0、劣化が進み半分程度の出力に制約される状態を0.5、さらに劣化が進み寿命に近い状態を0.3とした。そして定格出力と劣化度の積から決まる最大出力から、接続すべき電力変換回路の数を求めても良い。
【００２０】
例えば、ほとんど劣化がない劣化度1.0の場合には、定格出力がPth1以下であれば変換回路は１台、定格出力がPth1以上でPth2未満であれば２台、Pth2以上（図中は<Pth3と記載）であれば３台とした。なお、何段階に分けるかは、普及している蓄電池の種類に応じて決めればよい。また、ここではPth1未満を変換回路１台としたが、Pth1以下にしても良い。
【００２１】
さらに、今後このような蓄電池の利用が普及すると、蓄電池に劣化情報を記憶された媒体を添付された状態で流通されることも考えられ、その場合にはそれを読み取れば初期の劣化情報を判定することが可能である。
【００２２】
蓄電システムに組み込んでからも、劣化診断運転として、例えば所定の充電電流を流したときの蓄電池電圧の測定により劣化情報を得ることができる。このとき、１つの電力変換回路に複数の蓄電池が並列に接続される場合には、それぞれの蓄電池の電流が制御できないため、判定するのが困難であるが、１つの蓄電池の電流は１個あるいは複数の電力変換回路で制御可能なため、蓄電池の劣化診断運転も可能である。
【００２３】
このような判定から、蓄電池２１に必要な変換回路は１台と判定して、ステップ４０８において、接続選択回路３２のスイッチSW_2は、蓄電池に接続される端子32Bと接続する側に設定される。
【００２４】
次にステップ４０９にてｋ＝２として、ステップ４０２に戻る。ステップ４０３で、接続選択回路３２のSW_2は、接続選択回路３１に接続される32A側ではなく、32B側に接続できるため、ここに蓄電池２２を接続できる。同様に蓄電池２２の定格出力および劣化度から１台と判定されて、接続選択回路３３のスイッチSW_3も、蓄電池に接続される端子33B側に設定される。
【００２５】
次にｋ＝３では、蓄電池２３の定格出力は約２倍であり、Pth1以上Pth2未満であるため、変換回路は２台接続することになる。そのため、接続選択回路３４のSW_4は34A側に接続する。
【００２６】
ｋ＝４では、ステップ４０２および４０３で、接続選択回路３４のSW_4が変換回路１３に接続される側34Aになっているため、ステップ４０５となり、接続選択回路３４には蓄電池を接続できない。そのため、ステップ４０９になり、ｋに１を加えてｋ＝５となる。ステップ４１０で台数Nよりも大きくなるため、判定は終了となる。このような処理によって、図1の接続構成となる。
【００２７】
蓄電池の劣化状態を定期的に診断するとともに、図２ステップ４０７の判定処理を実施することで、蓄電池を蓄電システム１に組み込んだ後の劣化状態に応じて、接続構成を変更することができる。例えば、蓄電池２３の劣化度が0.5まで進んだ場合には、必要な電力変換回路は１台で十分となるため、接続選択回路３４のSW_4を端子34Aから、端子34B側に切り替えて、ここでは図示していない新たな蓄電池を接続することが可能となる。
【００２８】
このような構成とすることで、蓄電システム内の電力変換回路を、使用する蓄電池の仕様および劣化度に応じて、フレキシブルに蓄電池に接続することができる。そのため、電力変換回路も有効に利用できるため、蓄電システムの小型化に寄与できる。
【実施例２】
【００２９】
図３に本発明の第２の実施例として、電力変換回路１１〜１４の具体的な構成例を示す。この例では、母線が９１（＋）および９２（−）の直流であり、電力変換回路は昇降圧チョッパ回路を用いていている。電力変換回路１１〜１４は同じ構成となるため、１１および１２のみ図示している。
【００３０】
電力変換回路１１は、リアクトル1105、上下一対のスイッチング素子1101、1103および逆並列接続される環流ダイオード1102、1104、平滑コンデンサ1106で構成されている。これにより、蓄電池の電圧が母線９１および９２間の電圧と異なっても充放電が可能である。なお、電力変換回路１２についても、構成は同じであるため、説明は省略する。
【００３１】
接続選択回路および蓄電池の接続について、図１では、蓄電池の正極側と負極側とを区別せずに１本の線で略記したが、ここでは正極側と負極側とを区別して図示した。接続選択回路３１のうち、蓄電池２１の正極側に接続されるのが31B1、負極側に接続されるのが31B2であり、他の端子についても同様に、符号の末尾が１は正極側、末尾が２は負極側とした。
【００３２】
図３の場合は、31C1で隣の32A1に接続しているため、31C1−111間の配線は、電力変換回路１個分の電流に応じた配線で済む。一方、図４の場合には、31C1−111間は蓄電池の最大出力に応じた電流になるため、電力変換回路の数に応じた配線になる。
【実施例３】
【００３３】
図４に第３の実施例を示す。図３と同じ部位は同じ符号で示し、説明を省略する。図４では、接続選択回路３２の端子32A1に、電力変換回路１１の端子111から接続されている。
【００３４】
また、同様に32A2には、112から接続されている。接続選択回路と電力変換回路との接続（31C1から111、31C2から112、32C1から121および32C2から122）は、蓄電池の定格出力に応じた電流容量の配線が必要である。ただし、接続選択回路に接続される配線は、図３に比べて少ないので、接続選択回路３１、３２の大きさを低減することが可能となる。
【００３５】
その分、電力変換回路部の端子および配線は許容電流を大きくする必要があるが、実装面で接続選択回路を小型にしたほうが好適な場合には、こちらの接続構成にしてもよい。
【実施例４】
【００３６】
図５に第４の実施例として、電力変換回路１１に、絶縁型変換回路を用いた例を示す。ここでは、母線は三相交流（９Ｕ、９Ｖおよび９Ｗ）である。そのため、電力変換回路１１は、蓄電池側平滑コンデンサ１１３、絶縁型ＤＣ／ＤＣ変換回路１１４、平滑コンデンサ１１５、三相インバータ１１６およびフィルタリアクトル１１７で構成される。
【００３７】
ここで、蓄電池側平滑コンデンサ１１３およびフィルタリアクトル１１７は一例であり、コンデンサとリアクトルを組み合わせた構成でもよい。
【００３８】
絶縁型ＤＣ／ＤＣ変換回路１１４は、絶縁トランス１１４５の両側に、それぞれ11411、11412、11421、11422、11431、11432、11441および11442で構成されるフルブリッジ回路と、11461、11462、11471、11472、11481、11482、11491および11492で構成されるフルブリッジ回路が接続された構成である。このような構成にすることで、様々な電圧仕様の蓄電池を充電および放電することが可能であるとともに、蓄電池が接続される側と母線に接続する側とを絶縁できる。
【００３９】
また、三相インバータは、平滑コンデンサ115の直流電力を母線に合わせた三相電力に変換するための回路であり、11611、11612、11621、11622、11631、11632、11641、11642、11651、11652、11661および11662で構成される。
【００４０】
これらの回路は、充放電制御部４３により制御されるが、昇降圧チョッパによる充放電制御および三相インバータによる制御は一般的であるため、説明は省略する。
【実施例５】
【００４１】
図６に第５の実施例として、母線が高電圧系統の場合を説明する。母線が高電圧の場合に、複数の絶縁型の電力変換回路を直列に接続した構成にすることがある。図６では、図５に示したような絶縁型電力変換回路１５〜１８を４段直列に接続した場合を示している。
【００４２】
図中、絶縁型電力変換回路１８の片方の端子９０は、母線９が三相交流の場合には、その中性点とすればよい。また、母線が直流の場合には、負側の配線（図３における、９２）に接続する。
【００４３】
それぞれの絶縁型電力変換回路１５〜１８の母線に接続される側の電位は異なるが、絶縁型を用いているため、接続選択回路３１〜３４の電位は同じにすることができる。そのため、図１の場合と同様に蓄電池の最大出力に応じて絶縁型電力変換回路の数を判定して接続を切り替えればよい。
【００４４】
なお、電力変換回路と母線との間は、電力変換回路の交換などもあるため、開閉器が接続される場合があるが、ここでは省略した。
【実施例６】
【００４５】
図７に本発明の第６の実施例として、蓄電システム１の実装例を示す。図７（Ａ）が正面図で、図７（Ｂ）が矢視Ａ−Ａ’図である。
【００４６】
この例では、５つの蓄電サブシステムが１つの筐体１に収納されている。筐体は５段で構成されており、各々の段に蓄電サブシステムが格納されている。
【００４７】
図７（B）で示すとおり、筐体の前面の蓄電池挿入口にコネクタで接続された蓄電池２１オ〜２４オが配置され、背面に電力変換回路１１オ〜１４オが配置され、蓄電池と電力変換回路の間に接続選択回路群３が配置されている。このような配置にすることにより頻繁に入れ替えの必要がある蓄電池の交換作業を容易にすることが可能となる。電力変回路もモジュール化しコネクタで接続するようにしてもよい。
【００４８】
また、容量の大きく質量の大きい蓄電池が筐体の下部に配置され、容量が小さく質量が小さい蓄電池が筐体の上部へ配置されている。このように配置することにより筐体の安定を図ることが可能となる。
【００４９】
この例では、蓄電池２３ウ、２１イ、２２イ、２１ア及び２２アが他の蓄電池に比べて約２倍の定格出力で体積も大きい例を示している。
【００５０】
一方で、蓄電池は寸法も異なるため、このように２か所の蓄電池設置位置に跨って蓄電池を置けるような実装構造が好ましい。
【００５１】
なお、蓄電池２３ウのように定格出力が約２倍ある大型の蓄電池も劣化度が進むと、接続すべき電力変換回路は１台で十分になる。そのときには接続選択回路３４を切り替えることで接続される電力変換回路を2個から1個に切り替えることができる。
【００５２】
接続されなくなる電力変換回路に、新たな蓄電池を接続することは蓄電池の設置位置にスペースがないためできないが、電力変換回路を１台だけ接続することで変換回路での損失は低減される。
【００５３】
また、筐体１の最上段は、接続選択回路の構成や、蓄電池の劣化進展警告などを表示するための表示器５、強制的に運転停止するなどのスイッチ６が正面に取り付けられている。内部には蓄電システム制御部４が収納されている。
【００５４】
なお、ここでは、蓄電池、接続選択回路、電力変換回路および蓄電システム制御部を１つの筐体に収納したが、分割してもよく、例えば蓄電池および制御部だけは交換、点検しやすい場所に配置して、その他の部分はアクセスしにくい建物のデッドスペース的な場所に配置してもよい。
【実施例７】
【００５５】
図８に本発明の第７の実施例の蓄電システムの構成例を示す。ここでは、接続構成制御部４２から、接続選択回路３１〜３４への信号および充放電制御部４３から電力変換回路１１〜１４への制御信号の図示は省略した。
【００５６】
前述した図１の例では、接続選択回路３１〜３４は他の変換回路のうち１つだけと接続できる構成であったのに対して、この例では、４箇所すべての変換回路に接続できる。また、同様に図１の例では、変換回路１１と蓄電池２３とを接続するには、接続選択回路３２を介して接続せざるを得ず、その場合に蓄電池２２は接続できない。
【００５７】
これに対して、図８では、どの蓄電池にも接続できる構成である。このようにすることで、蓄電池と変換回路との接続の組み合わせに自由度が広がる。それにより、初期に蓄電池を設置した状態から劣化が進み、接続されなくなった電力変換回路を他の蓄電池へ接続し使用することができる。
【００５８】
蓄電池２１、２２は定格出力が同じで、蓄電池２３は２倍の定格出力をもち、図２のフローにより、蓄電池２１、２２は１つの電力変換回路、蓄電池２３には２つの電力変換回路を接続する場合を説明する。
【００５９】
図８のように、蓄電池２１は、接続選択回路群３のうち、端子3B1、31B1、SW_1および端子3C1を介して、電力変換回路１１に接続される。
【００６０】
また、蓄電池２２は端子3B2、32B2、SW_2および端子3C2を介して電力変換回路１２に接続される。蓄電池２３は端子3B3から、33B3、SW_3および端子3C3を介して電力変換回路１３に接続されるとともに、SW_4が34A3を選択しているため、端子3C4を介して電力変換回路１４にも接続される。
【００６１】
この状態から運転するうちに蓄電池の劣化が進み、蓄電池２１は劣化が進み交換が必要、蓄電池２２はまだ使用可能、蓄電池２３は劣化が進んだため電力変換回路は１つで十分になったとする。仮に、新たに接続する蓄電池の寸法が蓄電池２１と同じであるが、ほとんど劣化していなく電力変換回路を２台接続する場合について説明する。
【００６２】
図１の構成の場合には、蓄電池２３の寸法が他と変わらずに、接続選択回路３４に接続できる位置に置くことができる場合には、SW_4を34Aから34Bに切り替えるとともに、接続選択回路３１のSW_1を31Bから31Aに切り替えて、新たな蓄電池を34Bに接続することで対応できる。ただし、蓄電池２３の寸法が大きく、接続選択回路34Bに接続できる場所に新たな蓄電池を配置することができない場合もある。このような場合には、新たな蓄電池は元の蓄電池２１の場所に置くことになり、接続できる電力変換回路は１１だけになるという問題がある。
【００６３】
一方、図８の構成であれば、蓄電池２１の代わりに新たな蓄電池を配置して、接続選択回路３４のSW_4を34A3から34B1に切り替えることで、新たな蓄電池から２台の電力変換回路１１および１４を接続できるため、劣化度に応じて柔軟な電力変換回路の接続が可能となる。
【実施例８】
【００６４】
図９に本発明の第８の実施例の蓄電システムの構成例を示す。
【００６５】
図１、図８の例では、蓄電池に内蔵の電池コントローラあるいは、劣化情報記録から蓄電システム制御部４の電池情報検出部４１に情報を入手していた。それに対して図９の例では、蓄電池の電流および電圧から劣化を診断して、電池情報検出部４１から蓄電池の劣化情報を検出する。
【００６６】
さらに、蓄電池を接続する端子3B1〜3B4に加えて、蓄電池診断用端子3BTを設けた。これにより、（図示はしていない）新たに接続する蓄電池の劣化状態を調べることができる。このときの動作について説明する。ここでは、図８の場合と同様に蓄電池２３に接続する電力変換回路は２台の場合を例に説明する。
【００６７】
接続選択回路３４のSW_4を一時的に34A3から34B4に切り替えるとともに、診断時切替回路７０を蓄電池診断用端子3BT側にする。これにより、新たな蓄電池が電力変換回路１４に接続され、診断のための充放電が可能である。この間、蓄電池２３に接続される電力変換回路は１３のみとなり、蓄電池２３の出力できる能力の半分となるが、診断が終わったら接続選択回路３４のSW_4を元の34A3に戻せば、再び蓄電池２３には２台の電力変換回路１３および１４が接続される。なお本発明では、各々の蓄電池の充放電を個別に制御できるため、蓄電システムを運転継続したまま、蓄電池の診断が可能である。
【００６８】
診断された蓄電池の情報は、図７（A）に示した蓄電システム表示器５に、劣化情報、接続すべき電力変換回路の数、さらには、どの位置に配置すれば良いかを表示することで、交換のときに蓄電池の設置場所を判断することができるため、交換時間の低減が可能となる。
【００６９】
また、蓄電池の設置場所の判断時には、蓄電池の寸法を考慮することも可能である。
【００７０】
さらに、ここでは、新たな蓄電池を床に置くか、台車に乗せたまま診断できるように、蓄電池診断用端子を最下段に設けた。なお、図７（A）、図７(B)では説明のために、接続選択回路３４アおよび蓄電池診断用端子３ＢＴを、蓄電池２２アよりも前に置いた図にしている。接続選択回路３４アは蓄電池２２アの背面側にあって、蓄電池診断用端子３ＢＴだけコネクタ等で手前に出る構造もとり得る。それにより、蓄電池２２アの交換の妨げにはならないですむ。
【実施例９】
【００７１】
（電池設置場所の表示例）
図１０に本発明の第９の実施例として、蓄電システム１の表示器５に、多数の蓄電システムがある中で、蓄電システム設置場所を知らせる表示の例を示す。ここでは、図７（A）、図７（B）で示した蓄電システムの筐体が複数ある場合を説明する。
【００７２】
この例では通路２に面した蓄電システムS11の表示が点滅しており、蓄電システムS11に交換すべき蓄電池が存在することがわかる。
【００７３】
交換作業者は通路２を通って蓄電システムS11へ交換用蓄電池を運び、蓄電システムS11を見ると各蓄電池に対応して設置されたLEDのうち交換対象の蓄電池に対応するLEDが点灯しており、蓄電システムS11にセットされているLEDの点灯している蓄電池を取り外して、持ち込んだ蓄電池をセットすることができる。
【００７４】
なお、ここでは、蓄電システム１の表示器５に表示する例を示したが、必ずしも図７（A）に示したような蓄電システム１の筐体に取り付けた表示器５である必要はない。蓄電システムとは別の建物全体の管理装置があれば、その表示器でもよく、その場合には蓄電システム設置場所が分散している場合には、どの場所に行けばよいかが事前に把握することができる。さらには建物の外でもよく、遠隔保守点検システムがあれば、その画面に表示してもよい。
【００７５】
このように通路に面して蓄電システムを配置することにより蓄電池や電力変換回路の交換等のメンテナンス作業を容易にすることが可能になるばかりではなく、蓄電システムから放出される排熱を通路を通して流す冷却風により効率的に冷却することができる。
【００７６】
なお、上記はすべて蓄電手段として蓄電池の場合を説明したが、一部は電気自動車を接続しても良い。その場合には、ビル内に設置するのではなく、蓄電池への配線を屋外まで敷設しておき、電気自動車に接続できる構成とすることで可能となる。この場合でも、電気自動車の電池と他の蓄電池あるいは他の電気自動車の電池とは直接的に接続されずに、個別に充放電電流を制御できる。
【００７７】
以上のように、本発明の構成により、様々な仕様および劣化度の蓄電池にフレキシブルに対応できる小型の蓄電システムを提供することができる。
【符号の説明】
【００７８】
１：蓄電システム
１１、１２、１３、１４：電力変換回路
２１、２２、２３：蓄電池
３１、３２、３３、３４：接続選択回路
４：蓄電システム制御部
４１：電池情報検出部
４２：接続構成制御部
４３：充放電制御部
５：表示器
６：スイッチ
７０：診断時切替回路
７１、７２、７３、７４：蓄電池診断部
【図１】
2019146334.tif 000003
【図２】
2019146334.tif 000004
【図３】
2019146334.tif 000005
【図４】
2019146334.tif 000006
【図５】
2019146334.tif 000007
【図６】
2019146334.tif 000008
【図７（Ａ）】
2019146334.tif 000009
【図７（Ｂ）】
2019146334.tif 000010
【図８】
2019146334.tif 000011
【図９】
2019146334.tif 000012
【図１０】
2019146334.tif 000013